(57)【要約】【課題】ハンダ接合することなしにプリント基板とフラットケーブルを電気的に接続することができるコネクタを提供する。【解決手段】第１のハウジングに複数配設された第１の接続端子は、フラットケーブルの絶縁被覆を破って所定の導体を挟み込み圧接する圧接部分を備え、カバー上に備えられた孔を通過して配置位置が調節され、第２のハウジングに設けられた凹部に収容された際、第１の接続端子の先端が変形してプリント基板の導通部と接触し、導通する。プリント基板は、一端が各信号線に対応するＰＣＩカードエッジコネクタと接続し、他端が各第１の接続端子と圧接するスルーホールと接続する配線パターンを設けているので、各スルーホールに接続されたＰＣＩカードエッジコネクタとフラットケーブルの導通部が各第１の接続端子を介してそれぞれ導通する。【選択図】図３
2011243582.tif 000002
【特許請求の範囲】
【請求項１】
フラットケーブルの長手方向の複数箇所に配設され、それぞれが前記フラットケーブルの絶縁被覆に覆われた複数の導体のうち少なくとも一部と接続することができる第１の接続端子を備えるハウジングと、
前記第１の接続端子を保持するための孔を備えるカバーと、を有するコネクタであって、
前記第１の接続端子は、フラットケーブルの絶縁被覆を破って所定の導体を挟み込んで、前記導体を圧接することを特徴とするコネクタ。
【発明の詳細な説明】
【技術分野】
【０００１】
本発明は、コネクタ及びコネクタに接続されたプリント基板に関する。詳しくは、本発明
はハンダによる接合なしに、フラットケーブルをプリント基板に接続することのできるフ
ラットケーブル用コネクタ、及び当該コネクタに接続されたプリント基板に関する。
【背景技術】
【０００２】
従来のフラットケーブル用コネクタは、ハウジングに収められた複数の端子にフラットケ
ーブルの導体部をそれぞれ圧接させ、ピッチ変換基板を介して、雄型あるいは雌型のコネ
クタとして用いるものが多い。
【０００３】
例えばハウジングの長手方向に複数の信号コンタクトと接地バスを平行に配置し、接地バ
スは予めプログラムされた接地導体圧接スロットとバイパススロットを有する形態がある
（特許文献１参照）。
【０００４】
特許文献１には、バイパススロットはフラットケーブルの信号導体を圧接することなく受
承し、圧接成端状態で、フラットケーブルの信号導体と接地導体は同一面となる形態が記
載されている。
【０００５】
またハウジングの一方の端部に複数個の孔が設けられ、他方の側にこの孔に共通して連通
する孔が設けられ、これら孔内に端子が圧入された形態がある（特許文献２参照）。
【０００６】
特許文献２には、端子は孔側の圧接スリット部と、孔側の相手方コネクタの端子とのオス
接続部とを有し、圧接スリット部の配列間隔が接地部の配列間隔と異なるように中心位置
がずれ、端子の圧接スリット部と接触部は平板状をなし、圧接スリット部と、接触部とが
、相互に平行の段違い形状になるようにそれらの間の部分で屈曲されている形態が記載さ
れている。
【先行技術文献】
【特許文献】
【０００７】
【特許文献１】特開平１０−３３５０１３号公報
【特許文献２】特開平１１−２５１００７号公報
【発明の概要】
【発明が解決しようとする課題】
【０００８】
このような従来のフラットケーブル用コネクタは、接続しようとする基板側にソケットな
どの受け用治具を用意する必要があった。さらに別の形態として、コネクタに配設された
ピンを接続しようとする基板にハンダで接合する必要があった。ハンダで接合する場合、
人体や環境に有害な物質を含む材料の使用を禁止する傾向があり、スズと鉛の混合物であ
るハンダは含有成分や使用方法に関して見直しが求められている。
【０００９】
またコネクタは、納期短縮やコストダウンをはかるうえで、実装部品点数や実装作業を減
らすことが、量産プロセスからみても重要となる。
【００１０】
そこで本発明は、簡便な方法によりフラットケーブルとプリント基板とを接続することが
できるコネクタを提供することを目的とする。特に本発明は、ハンダ接合することなしに
フラットケーブルとプリント基板とを接続することができるコネクタを提供することを目
的とする。
【課題を解決するための手段】
【００１１】
上記課題を鑑み、本発明は、フラットケーブルとプリント基板とを接続するため、ハウジ
ングが有する接続端子をプリント基板の厚さ分以上長くし、当該端子を用いて、フラット
ケーブル及びプリント基板を貫通させ、これらの導通をとる形態を有するコネクタを提供
する。また接続端子の先端を受けるためのハウジングは、当該先端を丸めて納めるために
、丸みを帯びた形状となっている。これを誘導手段という。
【００１２】
以下に、具体的な本発明について示す。
【００１３】
本発明の一形態は、フラットケーブルの長手方向と直交する複数箇所に配設され、それぞ
れがフラットケーブルの絶縁被覆に覆われた複数の導体のうち少なくとも一部と接続する
ことができる第１の接続端子を備えるハウジングと、第１の接続端子を保持するための孔
を備えるカバーとを有するコネクタであって、第１の接続端子は、フラットケーブルの絶
縁被覆を破って所定の導体を挟み込んで、導体を圧接することを特徴とするコネクタであ
る。本発明においては、圧力をかけて電気的に接続することを圧接という。
【００１４】
本発明の別形態は、フラットケーブルの長手方向と直交する複数箇所に配設され、それぞ
れがフラットケーブルの絶縁被覆に覆われた複数の導体のうち少なくとも一部と接続する
ことができる第１の接続端子を備える第１のハウジングと、第１の接続端子を保持するた
めの孔を備えるカバーと、第１の接続端子の先端部を受け止める複数の凹部を備える第２
のハウジングとを有するコネクタであって、第１の接続端子は、フラットケーブルの絶縁
被覆を破って所定の導体を挟み込んで、導体を圧接することを特徴とするコネクタである
。
【００１５】
本発明の別形態は、フラットケーブルの長手方向と直交する複数箇所に配設され、それぞ
れがフラットケーブルの絶縁被覆に覆われた複数の導体のうち少なくとも一部と接続する
ことができる第１の接続端子を備える第１のハウジングと、第１の接続端子を保持するた
めの孔を備えるカバーと、第１の接続端子の先端部を受け止める複数の凹部を備える第２
のハウジングと、を有するコネクタであって、第１の接続端子は、フラットケーブルの絶
縁被覆を破って所定の導体を挟み込んで導体を圧接し、第２のハウジングに設けられた凹
部に収容された際、第１の接続端子が変形してプリント基板の導通部と接触し、第１の接
続端子と圧接されているフラットケーブルの導体とが導通することを特徴とするコネクタ
である。
【００１６】
本発明の別形態は、フラットケーブルの長手方向と直交する複数箇所に配設され、それぞ
れがフラットケーブルの絶縁被覆に覆われた複数の導体のうち少なくとも一部と接続する
ことができる第１の接続端子を備える第１のハウジングと、第１の接続端子を保持するた
めの孔を備えるカバーと、第１の接続端子の先端部を受け止める複数の凹部を備える第２
のハウジングを備えたコネクタであって、第１の接続端子は、フラットケーブルの絶縁被
覆を破って所定の導体を挟み込んで導体を圧接し、第２のハウジングに設けられた凹部に
収容された際、第１の接続端子が変形してプリント基板の導通部と接触し、第１の接続端
子と圧接されているフラットケーブルの導体、ＰＣＩ（Ｐｅｒｉｐｈｅｒａｌ  Ｃｏｍｐ
ｏｎｅｎｔｓ  Ｉｎｔｅｒｃｏｎｎｅｃｔ）カードエッジコネクタの各信号線とが導通す
ることを特徴とするコネクタである。
【００１７】
本発明によれば、ハンダで接合することなしに、ＰＣＩカードエッジコネクタをフラット
ケーブルに電気的に接続することができる。
【００１８】
本発明において、第２のハウジングは、第１の接続端子を収納した際、第１の接続端子が
変形する方向を誘導する、つまり第１の接続端子が変形するように制御する誘導手段を備
えることができる。
【００１９】
このような本発明の構成によれば、第１の接続端子の先端部が第２のハウジング上の凹部
に接触した際、第２のハウジング上の凹部に傷がつくのを防ぐことができ、さらに、第１
の接続端子の先端部を誘導し、安全に変形させることが容易にできるようになる。その結
果、第１の接続端子とプリント基板の導通部との導通を確実にとることができる。
【００２０】
また本発明において、プリント基板には、一端がＰＣＩカードエッジコネクタの各信号線
と接続し、他端が各第１の接続端子に圧接される側面が銅メッキされた開口部（以下、ス
ルーホールと言う）に接続するバッファＩＣを実装できるようパターンを設けることがで
きる。
【００２１】
このようなバッファＩＣを接続する本発明の構成により、接続対象物へ接続した際、デー
タ転送駆動能力に過不足があった場合でも対応することができる。
【００２２】
また本発明は、第１のハウジングが有する第１の接続端子が貫通するように設けられ、側
面が銅メッキされたスルーホールを有し、配線パターンが印刷されたプリント基板であっ
て、スルーホールの位置に合わせて配置される複数の導体と、導体を覆う絶縁被覆とを有
するフラットケーブルと、第１の接続端子を保持するための孔を備えるカバーと、第１の
接続端子の先端部を受け止める複数の凹部を備える第２のハウジングとを有するコネクタ
に接続され、コネクタが有する第１の接続端子により、導体と配線パターンとが導通して
いることを特徴とするプリント基板である。
【００２３】
本発明の別の形態は、第１のハウジングが有する第１の接続端子を貫通するに設けられ、
側面が銅メッキされたスルーホールを有し、配線パターンが印刷されたプリント基板であ
って、スルーホールの位置に合わせて配置される複数の導体と、導体を覆う絶縁被覆とを
有するフラットケーブルと、第１の接続端子を保持するための孔を備えるカバーと、第１
の接続端子の先端部を受け止める複数の凹部を備える第２のハウジングとを有するコネク
タに接続され、コネクタが有する第１の接続端子がフラットケーブルの絶縁被覆を破って
所定の導体を挟み込み、導体と圧接することにより、導体と配線パターンとが導通してい
ることを特徴とするプリント基板である。
【００２４】
このように本発明は、コネクタに接続されたプリント基板を提供することができる。
【発明の効果】
【００２５】
本発明によって、接続しようとする基板側にソケットなどの受け用治具を用意することな
くフラットケーブルとプリント基板とを接続、つまり圧接することができる。その結果、
簡便な工程によりフラットケーブルとプリント基板との接続を完了することができる。ま
た本発明によって、ハンダで接合することなしにフラットケーブルとプリント基板とを電
気的に接続することができる。その結果、ハンダ用の工程を削減することができる。また
ひいては、本発明により実装部品点数を減らすことができる。
【図面の簡単な説明】
【００２６】
【図１】本発明のコネクタを示す模式図である。
【図２】本発明のコネクタの構成図である。
【図３】本発明のコネクタを組み立てたときの正面断面図である。
【図４】本発明のコネクタを組み立てたときの側面図である。
【図５】本発明のプリント基板のＰＣＩカードエッジコネクタサイドＢを含む配線パターンレイアウト例である。
【図６】本発明のコネクタにより接続されたプリント基板を示す図である。
【図７】本発明のコネクタを適用した電子機器の図である。
【図８】本発明のコネクタを適用した携帯電話機の図である。
【図９】本発明のコネクタの第２のハウジングを示す図である。
【発明を実施するための形態】
【００２７】
以下に、本発明の実施の形態を図面に基づいて説明する。但し、本発明は多くの異なる態
様で実施することが可能であり、本発明の趣旨及びその範囲から逸脱することなくその形
態及び詳細を様々に変更し得ることは当業者であれば容易に理解される。従って、本実施
の形態の記載内容に限定して解釈されるものではない。なお、実施の形態を説明するため
の全図において、同一部分又は同様な機能を有する部分には同一の符号を付し、その繰り
返しの説明は省略する。
【００２８】
（実施の形態１）
本実施の形態では、本発明に係るコネクタの構成を図１乃至図４に基づいて説明する。な
お本実施の形態では、本発明に係るコネクタをＰＣＩカードエッジコネクタの配線パター
ンを含むプリント基板に接続する場合を例として説明するが、本発明はＰＣＩカードに限
定されるものではない。
【００２９】
図１には、本発明のコネクタの形状を示す。図１（Ａ）は本発明のコネクタの斜視図であ
る。このように、フラットケーブル１０２とプリント基板１０３とが、コネクタ１００内
で電気的に接続されている。
【００３０】
図１（Ｂ）に示したのは、図１（Ａ）の矢印側から見た本発明のコネクタの平面図である
。図１（Ｂ）における線分Ａ−Ａ’及びＢ−Ｂ’で分断した断面図をそれぞれ図３（Ａ）
（Ｂ）に示す。なお、図２には、図３（Ａ）に示したコネクタ１００の構成部品を別々に
示す。
【００３１】
図２（Ａ）は、本発明にかかるコネクタ１００の構成部品のうち、第１のハウジング１０
１とカバー２０１と第１の接続端子１０５を示す。第１のハウジング１０１は、樹脂材料
からなり、両端にポケットが形成される。第１のハウジングの内側に設けられた第１の接
続端子１０５は、その長さが通常より長く、プリント基板を貫通することを特徴とする。
カバー２０１は、第１の接続端子１０５の位置を決めるための孔２０２、及びフラットケ
ーブルを所定の配置にさせるための波状となった凹部（以下、波状面という）２０３が設
けられている。
【００３２】
各第１の接続端子１０５の先端は、フラットケーブルの導体１０２ａとの圧接を確実にす
るため、導電性の金属板を二股あるいは三股に打ち抜き、又は折り曲げ加工して形成され
る。また第１の接続端子１０５の先端は細くなり、フラットケーブル等を貫通しやすくな
っている。本実施の形態で示す第１の接続端子１０５の先端は、外側から内側へ向かって
テーパ形状となっているが、これに限定されるものではなく、フラットケーブル等を貫通
しやすい形状であればよい。
【００３３】
また、各第１接続端子１０５は、それぞれ互いに所定の間隔を置いて配列されている。こ
こで所定の間隔とは、第１ハウジングの長手方向はフラットケーブルの導体１０２ａの配
設間隔と同じである。また短手方向をみると、隣り合う各第１の接続端子１０５は互い違
いになるよう、前後にずらして千鳥又は複列に配置する。
【００３４】
カバー２０１は、第１の接続端子１０５を保持するための孔２０２を備えている。当該孔
２０２は、各第１の接続端子１０５の分岐した先端部に１対１で対応して設けられ、カバ
ーの長手方向はフラットケーブルの導体１０２ａの配設間隔と同じ間隔で、短手方向は隣
り合う各第１の接続端子１０５を前後にずらして千鳥もしくは複列に配置した位置に設け
られている。
【００３５】
図２（Ｂ）には、フラットケーブル１０２の各導体１０２ａ、導体１０２ａを覆う絶縁被
覆１０２ｂ、及びプリント基板１０３を示す。フラットケーブル１０２は、複数の導体１
０２ａが絶縁被覆１０２ｂにより覆われ、各絶縁被覆間が互いに結合された構造となる。
【００３６】
プリント基板１０３には、上記第１の接続端子１０５が貫通するための、銅メッキした導
通部１０９を有するスルーホール３０２が、フラットケーブル１０２の長手方向と直交し
て配設されている。またプリント基板１０３の表面には、各スルーホール３０２と各信号
に対応するＰＣＩカードエッジコネクタをそれぞれ接続する回路パターンが印刷されてい
る。スルーホール３０２の数は、第１の接続端子１０５と同数もしくはそれ以上設けられ
ている。
【００３７】
図２（Ｃ）には、第２のハウジング１０４を示す。第２のハウジング１０４の両端にはコ
ネクタを固定するための固定用金具１０８が設けられている。固定用金具１０８は第１の
ハウジング１０１の両端にあるポケットに挿入される。
【００３８】
第２のハウジング１０４のプリント基板１０３に接する面には、第１の接続端子１０５の
先端部を受け止める複数の凹部１０７が設けられている。図２（Ｃ）に示した第２のハウ
ジング１０４を第１のハウジング１０１側から見た平面図を図９に示す。第２のハウジン
グ１０４上の凹部１０７は、立体的なしずく型である。また、凹部１０７は、第１の接続
端子１０５の先端部を受け止め、スルーホール３０２の内側へ変形させるために、各第１
の接続端子１０５の分岐した先端部にそれぞれ対応する位置に、しずく型の尖端部をスル
ーホール３０２の円の中心部に向けてならべ、水平方向に分断した形状となっている。
【００３９】
第２のハウジング１０４上の凹部１０７には、各第１の接続端子が変形する方向を誘導す
る誘導手段１０６をそれぞれ備えることが好ましい。誘導手段１０６は、第１の接続端子
１０５の先端を丸める機能を有する。各誘導手段１０６は、図９に示した第２のハウジン
グ１０４上の凹部１０７と同様、しずく型である。また、誘導手段１０６は、第１の接続
端子１０５の先端部を受け止め、スルーホール３０２の内側へ変形させるために、各第１
の接続端子１０５の分岐した先端部にそれぞれ対応する位置に、しずく型の尖端部をスル
ーホール３０２の円の中心部に向けてならべ、水平方向に分断した形状となっている。な
お、図９には凹部１０７の形状及び誘導手段１０６の形状はしずく型のものを示したが、
第１の接続端子１０５の先端部を受け止め、スルーホール３０２の内側へ変形させること
ができれば、どのような形状であってもよい。
【００４０】
各誘導手段１０６は、第１の接続端子１０５と同一素材の金属板を抜き／折り曲げ加工し
て形成される。なお、第１の接続端子１０５と同一素材でなくとも、第１の接続端子１０
５を圧入したとき、第１の接続端子１０５の先端部が凹部１０７にくい込むことなく、第
１の接続端子１０５の先端部を変形させるのに充分な強度を持つ素材であればよい。加え
て誘導手段１０６は、導電性の高い素材であれば、フラットケーブルの各導体１０２ａと
各スルーホール３０２との接触抵抗を低減でき好ましい。
【００４１】
このようなコネクタにおいて、第１のハウジング１０１に複数配設された第１の接続端子
１０５は、カバー２０１に設けられた孔２０２に収容され、フラットケーブルの絶縁被覆
１０２ｂの一部を破って所定の導体１０２ａを挟み込み、導体を圧接することができる。
【００４２】
本実施の形態においてプリント基板１０３の表面には、一端がＰＣＩカードエッジコネク
タと接続し、他端が各第１の接続端子１０５と対応する複数のスルーホール３０２を設け
るための回路が設けられている例を示す。しかし、プリント基板に印刷される回路はこれ
に限定されるものではなく、一端に各第１の接続端子１０５と対応する複数のスルーホー
ル３０２を設けていればよい。すなわち、プリント基板１０３の他端に設けられた回路は
ＰＣＩカードエッジコネクタに限定されるものではない。
【００４３】
ここで、図３（Ａ）（Ｂ）について説明する。本発明のコネクタの第１の接続端子１０５
は、第１ハウジングの長手方向はフラットケーブルの導体１０２ａの配設間隔と同じ間隔
で、短手方向は隣り合う各第１の接続端子１０５を前後にずらして千鳥もしくは複列に配
置した位置に設けられているため、切断位置によって、図３（Ａ）のような断面であった
り、図３（Ｂ）のような断面であったりする。第１のハウジング１０１に複数配設された
第１の接続端子１０５は、カバー２０１の孔２０２を通過し、フラットケーブルの絶縁被
覆１０２ｂを破って所定の導体１０２ａを挟み込むことで、フラットケーブルの導体１０
２ａと圧接することができる。そして、各第１の接続端子１０５は、第２のハウジング１
０４上に設けられた凹部１０７に収容された際、第１の接続端子１０５の先端部が変形し
てスルーホール３０２に設けられた導通部１０９と圧接し、フラットケーブルの導体１０
２ａとＰＣＩカードエッジコネクタの各信号とが各第１の接続端子１０５を介してそれぞ
れ導通する。
【００４４】
また、第２のハウジング上の凹部１０７に誘導手段１０６が設置されている場合にも同様
に、第１のハウジング１０１に複数配設された第１の接続端子１０５は、カバー２０１の
孔２０２を通過し、フラットケーブルの絶縁被覆１０２ｂを破って所定の導体１０２ａを
挟み込むことで、フラットケーブルの導体１０２ａと圧接する。次に、各第１の接続端子
１０５は、第２のハウジング１０４上に設けられた凹部１０７に収容された際、第１の接
続端子１０５の先端部が変形してスルーホール３０２および各誘導手段１０６と接し、フ
ラットケーブルの導体１０２ａとＰＣＩカードエッジコネクタの各信号とが各第１の接続
端子１０５を介してそれぞれ導通することができる。
【００４５】
誘導手段１０６を備えることにより、各第１の接続端子１０５の先端部が第２のハウジン
グ上の凹部１０７に接触した際、各第１の接続端子１０５の先端部を誘導し、安全に変形
させることが容易にできるようになり、凹部１０７に傷がつくのを防ぐだけでなく、各第
１の接続端子１０５とプリント基板のスルーホール３０２との導通を確実にとることがで
きるようになる。
【００４６】
図４に示したのは、本発明のコネクタの側面図である。第１のハウジング１０１の両端の
側壁に備えられたポケット２０５ａは、固定用金具１０８をスライド挿入した際の固定用
突起部１１０を備えている。
【００４７】
またカバー２０１は、両端の側壁に固定用金具１０８をスライド挿入した際の仮止め用突
起部２００を備えている。
【００４８】
第２のハウジング１０４の両端に設置された固定用金具１０８は、金属板の中央部分を抜
き加工して形成される。固定用金具１０８が第１のハウジング１０１の両端に備えられた
ポケット２０５ａにスライド挿入された際、固定用金具１０８の抜き加工された部分にカ
バー２０１の両端に備えられた仮止め用突起部２００が入り、第１のハウジング１０１上
に配設された第１の接続端子１０５とフラットケーブル１０２とプリント基板１０３上の
スルーホール３０２と第２のハウジング１０４上の凹部１０７の設置位置を仮決めできる
。
【００４９】
そして、図２（Ａ）乃至（Ｃ）に示した本発明に係るコネクタの構成部品の配置位置が決
まったところで最終組立位置に到達するまで垂直方向に圧力をかけると、固定用金具１０
８の抜き加工された部分に第１のハウジング１０１の両端に備えられた固定用突起部１１
０が入り、第２のハウジング１０４は所定の位置に固定される。
【００５０】
なお、第１の接続端子１０５や、カバー２０１に備えられた孔２０２、第２のハウジング
１０４の凹部１０７および誘導手段１０６などの数に関して、プリント基板１０３に備え
られたスルーホール３０２と同数であれば、図示した数に限定されない。また、フラット
ケーブルの導体１０２ａの数も、スルーホール３０２と同数であってもよい。
【００５１】
このように本発明のコネクタは、接続しようとする基板側にソケットなどの受け用治具を
用意することなくフラットケーブルとプリント基板とを接続することができる。また本発
明によって、ハンダで接合することなしにフラットケーブルとプリント基板とを電気的に
接続することができる。その結果、簡便な工程によりフラットケーブルとプリント基板と
の接続を完了することができる。
【００５２】
（実施の形態２）
本発明第１の実施形態において、本発明品を第３の接続対象物へ接続した際、データ転送
駆動能力に過不足があることが危惧される場合、一端がＰＣＩカードエッジコネクタの各
信号と接続し、他端が各第１の接続端子１０５に圧接されるスルーホール３０２に接続す
るバッファＩＣを実装できるようなパターン３０１を設けたプリント基板１０３を用いて
も良い。本実施の形態では、バッファＩＣを設けた、プリント基板１０３の最表面（ＰＣ
Ｉカードエッジコネクタ３００のサイドＢ側）のレイアウトパターンの一形態を、図５を
用いて説明する。
【００５３】
プリント基板は、銅メッキされた配線パターンと、絶縁層とが交互に積層して構成される
。例えば本実施の形態では、ＰＣＩカードエッジコネクタ３００のサイドＢ側から、サイ
ドＢ側を含む配線パターン、絶縁層、接地配線パターン、絶縁層、電源配線パターン、絶
縁層、ＰＣＩカードエッジコネクタのサイドＡを含む配線パターンという順に積層された
プリント基板を示した。
【００５４】
各ＰＣＩカードのエッジコネクタ３００は、ＰＣＩ−ＳＩＧ（ＰＣＩ−Ｓｐｅｃｉａｌ  
Ｉｎｔｅｒｅｓｔ  Ｇｒｏｕｐ）に準じた信号を配置するようにレイアウトされている。
サイドＡ、サイドＢという呼び名は、ＰＣＩ−ＳＩＧの規格に準じており、両サイドに設
けられた信号全体で１つのシステムとしての機能を奏する。例えば、ＰＣＩバス幅３２ビ
ットのシステムの場合、サイドＡにはアドレス／データ信号の３０、２８、２６、２４、
２２、２０、１８、１６、１５、１３、１１、９、６、４、２、０ビット目やコマンド／
バイトイネーブル信号の０ビット目などがそれぞれ所定の位置に配置されている。またサ
イドＢには、アドレス／データ信号の３１、２９、２７、２５、２３、２１、１９、１７
、１４、１２、１０、８、７、５、３、１ビット目やコマンド／バイトイネーブル信号の
３、２、１ビット目がそれぞれ所定の位置に配置されている。
【００５５】
プリント基板１０３には、各層間を接続するために、当該層の同じ位置を貫通する孔をあ
け、孔の外周部と内側部に銅メッキを施したスルーホール３０２を備えている。
【００５６】
本実施の形態では、プリント基板１０３に、ＰＣＩカードエッジコネクタ３００と、スル
ーホール３０２と、一端がＰＣＩカードエッジコネクタ３００のサイドＢを含む配線パタ
ーンと接続し、他端がスルーホール３０２と接続する配線パターン３０３が印刷されてい
る。さらに、ＰＣＩカードエッジコネクタ３００を介して第３の接続対象物へ入出力され
る信号線に関しては、一端がＰＣＩカードエッジコネクタ３００と接続し、他端が各第１
の接続端子１０５に圧接されるスルーホール３０２に接続するバッファＩＣを実装できる
ようなパターン３０１を設けている。
【００５７】
なお、図５に示したプリント基板１０３の裏面にはＰＣＩカードエッジコネクタのサイド
Ａを含む配線パターンが印刷されている。ＰＣＩカードエッジコネクタのサイドＡを含む
配線パターンに関して、対応するＰＣＩカードエッジコネクタ３００のサイドＡを含む配
線パターンと各スルーホール３０２とがそれぞれ接続するように配線パターン３０３、３
０３ａおよび３０３ｂを図５と同様なレイアウトとすれば良いことは明らかである。
【００５８】
このようなプリント基板１０３に、接続端子１０５が設けられた第１のハウジング１０１
と、第２のハウジング１０４によって、フラットケーブル１０２を接続することができる
。すなわち、このようなプリント基板１０３においても、本発明のコネクタを適用するこ
とができる。そして実装されたバッファＩＣによって、データ転送駆動能力を高めること
ができる。
【００５９】
（実施の形態３）
本実施の形態では、コネクタにより接続されたプリント基板の全体図について説明する。
【００６０】
図６には、二つのプリント基板６０１、６０２をフラットケーブル６０５及び本発明のコ
ネクタ６０３、６０４により接続した形態を示す。プリント基板６０１、６０２には、各
機能を奏する回路の配線パターンが印刷されている。これら回路を電気的に接続するため
、本発明のコネクタ６０３、６０４を適用することができる。コネクタ６０３は、第２の
ハウジング１０４を備えた構成であり、コネクタ６０４は、第２のハウジングのない構成
とした。第１の接続端子とスルーホールを圧接させた後、第１の接続端子の先端を丸くし
、抜け落ちない形状とすれば、第２のハウジング１０４のない構成としても問題ない。ま
た、プリント基板６０２において、本発明のコネクタ６０３を接続しようとする位置には
、第２のハウジング１０４の両端に備えられた固定用金具１０８を貫通させるための開口
部を設ける必要がある。
【００６１】
本実施の形態では、プリント基板の大きさを異ならせ、下方のプリント基板を上方のプリ
ント基板より大きくなるようにした形態を示す。
【００６２】
本実施の形態では、それぞれのプリント基板６０１、６０２に本発明のコネクタ６０３、
６０４を用いて接続した形態を示したが、本発明はこれに限定されない。一方のプリント
基板にのみ本発明のコネクタを用いて接続することも可能である。
【００６３】
（実施の形態４）
本実施の形態では、本発明のコネクタを適用し、携帯電話機９００を完成させる一例につ
いて例示する。但し、上記実施の形態で示した第１の接続端子の長さを短くする必要があ
る。そして図２を用いて示した組み立て順序を逆にする。具体的には、第１のハウジング
１０１をプリント基板１０３側へ、第２のハウジング１０４をＦＰＣ側へ配置する。この
とき、第２のハウジングの凹部１０７の深さを浅くするとよい。また、誘導手段１０６は
設けられていることが望ましい。第１の接続端子１０５は、プリント基板１０３に設けら
れたスルーホール３０２を貫通した後、カバー２０１の孔２０２によって配置間隔を整え
られる。次に、覆われているＦＰＣ部分を破って貫通し、第一の接続端子１０５の先端は
、第２のハウジング１０４の凹部によって内側へ曲げられる。このようにしてＦＰＣの接
続パッドと圧接することができる。
【００６４】
図８で示す携帯電話機は、操作スイッチ類９０４、マイクロフォン９０５などが備えられ
た本体（Ａ）９０１と、表示パネル（Ａ）９０８、表示パネル（Ｂ）９０９、スピーカ９
０６などが備えられた本体（Ｂ）９０２とが、蝶番９１０で開閉可能に連結されている。
表示パネル（Ａ）９０８と表示パネル（Ｂ）９０９は、プリント基板９０７と共に本体（
Ｂ）９０２の筐体９０３の中に収納される。表示パネル（Ａ）９０８及び表示パネル（Ｂ
）９０９の画素部は筐体９０３に形成された開口窓から視認できように配置される。
【００６５】
プリント基板９０７とフラットケーブル９２１の接続には、本発明のコネクタ９２０を適
用することができる。コネクタ９２０は、第２のハウジング１０４を備えた構成であって
もよいし、第１の接続端子とスルーホールを圧接させた後、第１の接続端子の先端を丸く
し、抜け落ちない形状とすれば、第２のハウジング１０４のない構成としてもよい。勿論
携帯電話機等の薄型装置では、フラットケーブル９２１よりもＦＰＣ（Ｆｌｅｘｉｂｌｅ
Ｐｒｉｎｔｅｄ  Ｃｉｒｃｕｉｔ）を用いた方が好ましい場合もあるが、フラットケー
ブルを適用する場合、プリント基板との接続に本発明のコネクタを適用することができる
。またＦＰＣとプリント基板との接続においても、本発明のコネクタの技術思想を適用す
ることができる。第１の接続端子の長さを調整する、具体的には短くすることによって、
ＦＰＣとプリント基板とが接続されたコネクタを提供することができる。
【００６６】
また表示パネル（Ａ）９０８と表示パネル（Ｂ）９０９は、その携帯電話機９００の機能
に応じて画素数などの仕様を適宜設定することができる。例えば、表示パネル（Ａ）９０
８を主画面とし、表示パネル（Ｂ）９０９を副画面として組み合わせることができる。
【００６７】
表示パネル（Ａ）９０８には、液晶表示装置又は発光装置を適用することができる。
液晶表示装置を適用することによって低消費電力を図ることができ、発光装置を適用する
と視野角が広く、応答速度の高い携帯電話機を提供することができる。
【００６８】
このような表示パネルを用いることにより、表示パネル（Ａ）９０８は文字や画像を表示
する高精細のカラー表示画面とし、表示パネル（Ｂ）９０９は文字情報を表示する単色の
情報表示画面とすることができる。特に表示パネル（Ｂ）９０９をアクティブマトリクス
型として、高精細化をすることにより、さまざまな文字情報を表示して、一画面当たりの
情報表示密度を向上させることができる。例えば、表示パネル（Ａ）９０８を、２〜２．
５インチで６４階調、２６万色のＱＶＧＡ（３２０ドット×２４０ドット）とし、表示パ
ネル（Ｂ）９０９を、単色で２〜８階調、１８０〜２２０ｐｐｉの高精細パネルとして、
ローマ字、ひらがな、カタカナをはじめ、漢字やアラビア文字などを表示することができ
る。
【００６９】
本実施の形態で示した携帯電話機は、その機能や用途に応じてさまざまな態様に変容し得
る。例えば、蝶番９１０の部位に撮像素子を組み込んで、カメラ付きの携帯電話機として
も良い。また、操作スイッチ類９０４、表示パネル（Ａ）９０８、表示パネル（Ｂ）９０
９を一つの筐体内に納めた構成としてもよい。また、表示部を複数個そなえた情報表示端
末に本発明のコネクタの構成を適用してもよい。
【００７０】
このような本発明のコネクタを適用した携帯電話機は、簡便な工程によりフラットケーブ
ルとプリント基板との接続を完了することができる。その結果、短時間、ひいては部品数
を削減した状態で携帯電話機を完成させることができ、コストを抑えることができる。
【００７１】
（実施の形態５）
本発明のコネクタをフラットケーブルの両端に用いれば、フラットケーブルを介して、プ
リント基板とプリント基板を接続することができる。このような本発明のコネクタは、電
子機器に適用することが可能である。その具体例について、図７を参照して説明する。
【００７２】
図７（Ａ）に示す携帯情報端末機器は、本体９２０１、表示部９２０２等を含んでいる。
本体９２０１が有するプリント基板の接続には、本発明のコネクタを適用することができ
る。その結果、簡便な工程によりフラットケーブルとプリント基板との接続を完了するこ
とができる。これにより、コストが抑えられた携帯情報端末機器を提供することができる
。
【００７３】
図７（Ｂ）に示すデジタルビデオカメラは、表示部９７０１、本体９７０２等を含んでい
る。本体９７０２が有するプリント基板の接続には、本発明のコネクタを適用することが
できる。その結果、簡便な工程によりフラットケーブルとプリント基板との接続を完了す
ることができる。これにより、コストが抑えられたデジタルビデオカメラを提供すること
ができる。
【００７４】
図７（Ｃ）に示す携帯型のテレビジョン装置は、本体９３０１、表示部９３０２等を含ん
でいる。本体９３０１が有するプリント基板の接続には、本発明のコネクタを適用するこ
とができる。その結果、簡便な工程によりフラットケーブルとプリント基板との接続を完
了することができる。これにより、コストが抑えられた携帯型のテレビジョン装置を提供
することができる。またテレビジョン装置としては、携帯電話機などの携帯端末に搭載す
る小型のものから、持ち運びをすることができる中型のもの、また、大型のもの（例えば
４０インチ以上）まで、幅広いものに、本発明のコネクタを適用することができる。
【００７５】
図７（Ｄ）に示す携帯型のコンピュータは、本体９４０１、表示部９４０２等を含んでい
る。本体９４０１が有するプリント基板の接続には、本発明のコネクタを適用することが
できる。その結果、簡便な工程によりフラットケーブルとプリント基板との接続を完了す
ることができる。これにより、コストが抑えられた携帯型のコンピュータを提供すること
ができる。
【００７６】
図７（Ｅ）に示すテレビジョン装置は、本体９５０１、表示部９５０２等を含んでいる。
本体９５０１が有するプリント基板の接続には、本発明のコネクタを適用することができ
る。その結果、簡便な工程によりフラットケーブルとプリント基板との接続を完了するこ
とができる。これにより、コストが抑えられたテレビジョン装置を提供することができる
。
【００７７】
このように本発明のコネクタを適用した電子機器は、そのコストを抑えることができる。
また本発明のコネクタにより、簡便な工程でプリント基板を接続することができ、量産性
を高めることができる。
【符号の説明】
【００７８】
１００    コネクタ
１０１    第１のハウジング
１０２    フラットケーブル
１０２ａ    導体
１０２ｂ    絶縁被覆
１０３    プリント基板
１０４    第２のハウジング
１０５    第１の接続端子
１０６    誘導手段
１０７    凹部
１０８    固定用金具
１０９    導通部
１１０    固定用突起部
２００    仮止め用突起部
２０１    カバー
２０２    孔
２０３    波状面
２０５ａ    ポケット
３００    ＰＣＩカードエッジコネクタ
３０１    パターン
３０２    スルーホール
３０３    配線パターン
３０３ａ    配線パターン
３０３ｂ    配線パターン
６０１    プリント基板
６０２    プリント基板
６０３    コネクタ
６０４    コネクタ
６０５    フラットケーブル
９００    携帯電話機
９０１    本体（Ａ）
９０２    本体（Ｂ）
９０３    筐体
９０４    操作スイッチ類
９０５    マイクロフォン
９０６    スピーカ
９０７    プリント基板
９０８    表示パネル（Ａ）
９０９    表示パネル（Ｂ）
９１０    蝶番
９２０    コネクタ
９２１    フラットケーブル
９２０１    本体
９２０２    表示部
９３０１    本体
９３０２    表示部
９４０１    本体
９４０２    表示部
９５０１    本体
９５０２    表示部
９７０１    表示部
９７０２    本体
【図１】
2011243582.tif 000003
【図２】
2011243582.tif 000004
【図３】
2011243582.tif 000005
【図４】
2011243582.tif 000006
【図５】
2011243582.tif 000007
【図６】
2011243582.tif 000008
【図７】
2011243582.tif 000009
【図８】
2011243582.tif 000010
【図９】
2011243582.tif 000011
【手続補正書】
【提出日】平成23年8月5日(2011.8.5)
【手続補正２】
【補正対象書類名】特許請求の範囲
【補正対象項目名】全文
【補正方法】変更
【補正の内容】
【特許請求の範囲】
【請求項１】
フラットケーブルと、プリント基板と、接続端子と、を有する電子機器であって、
前記プリント基板は、導通部を含むスルーホールを有し、
前記接続端子は、前記フラットケーブルを貫通することにより前記フラットケーブルと電気的に接続され、かつ、前記接続端子の変形を誘導する誘導手段により変形し、圧力により前記導通部と電気的に接続されていることを特徴とする電子機器。
【請求項２】
フラットケーブルと、プリント基板と、接続端子と、を有する電子機器であって、
前記フラットケーブルは、複数の導体と、前記複数の導体を被覆する絶縁体と、を有し、
前記プリント基板は、導通部を含むスルーホールを有し、
前記接続端子は、前記絶縁体を貫通することにより前記導体と電気的に接続され、かつ、前記接続端子の変形を誘導する誘導手段により変形し、圧力により前記導通部と電気的に接続されていることを特徴とする電子機器。
【請求項３】
フラットケーブルと、プリント基板と、コネクタと、を有する電子機器であって、
前記フラットケーブルは、複数の導体と、前記複数の導体を被覆する絶縁体と、を有し、
前記プリント基板は、導通部を含むスルーホールを有し、
前記コネクタは、接続端子を備える第１のハウジングと、前記接続端子の変形を誘導する誘導手段を備える第２のハウジングと、を有し、
前記接続端子は、前記絶縁体を貫通することにより前記導体と電気的に接続され、かつ、前記誘導手段より変形し、圧力により前記導通部と電気的に接続されていることを特徴とする電子機器。
【請求項４】
フラットケーブルと、プリント基板と、コネクタと、を有する電子機器であって、
前記フラットケーブルは、複数の導体と、前記複数の導体を被覆する絶縁体と、を有し、
前記プリント基板は、導通部を含むスルーホールを有し、
前記コネクタは、接続端子を備える第１のハウジングと、前記接続端子の変形を誘導する誘導手段を備える第２のハウジングと、を有し、
前記接続端子は、前記絶縁体を貫通して圧力により前記導体と電気的に接続され、かつ、前記誘導手段により変形し、圧力により前記導通部と電気的に接続されていることを特徴とする電子機器。
【請求項５】
請求項１乃至４のいずれか一項において、
前記誘導手段は導電性材料からなることを特徴とする電子機器。
【請求項６】
請求項１乃至５のいずれか一項において、
前記誘導手段の形状は立体的なしずく型であることを特徴とする電子機器。